(57)【要約】【課題】自動販売機の内部に収納された商品に対して、商品取出口から挿入される細長い道具等による商品抜取り等の悪戯を防止するに好適な簡易な構成の自動販売機を提供する。【解決手段】商品取出口の後方に設けられて、この商品取出口からの販売機本体の見通しを阻止する遮蔽板と、この遮蔽板の後方側に位置付けられて前記販売機本体に設けられた商品収納部から払い出された商品を商品受け部に導くシュートとを具備し、前記シュート体は、遮蔽板の後ろ側に設けられて商品収納部から払い出された商品を下方に導く第１の傾斜板と、この第１の傾斜板の下端部に対して所定の間隙を有する段差を形成して設けられて上記第１の傾斜板を介して導かれた商品を商品受け部に導く第２の傾斜板とからなる。【選択図】      図１
2004295800.tif 000002
【特許請求の範囲】
【請求項１】
内部に商品収納部を形成した販売機本体と、
この販売本体の前面に開閉自在に設けられた前扉と、
この前扉の前面側に設けられた商品取出口に連通して該前扉の下部に設けられた商品受け部と、
この商品取出口の後方に設けられて前記商品取出口からの前記販売機本体の見通しを阻止する遮蔽板と、
この遮蔽板の後方側に位置付けられて前記販売機本体に設けられた前記商品収納部から払い出された商品を前記商品受け部に導くシュートとを具備し、
前記シュートは、前記遮蔽板の後ろ側に設けられて前記商品収納部から払い出された商品を下方に導く第１の傾斜板と、
この第１の傾斜板の下端部に対して所定の間隙を有する段差を形成して設けられて上記第１の傾斜板を介して導かれた商品を前記商品受け部に導く第２の傾斜板とからなることを特徴とする自動販売機。
【発明の詳細な説明】
【０００１】
【発明の属する技術分野】
本発明は、自動販売機への悪戯防止策を講じた簡易な構成の自動販売機に関する。
【０００２】
【従来の技術】
タバコ等の自動販売機は、図４にその概略的な内部構造を示すように外観的には箱状の販売機本体１と、その前面に開放自在に設けたドア部２とを備えて構成される。この販売機本体１の内部およびドア部２の裏面には、タバコ等のパッケージ化された商品Ｃを積層して収容する複数列の商品収納部４（４ａ，４ｂ）がそれぞれ設けられている。
【０００３】
また、これらの各商品収納部４（４ａ，４ｂ）には、その内部に商品種別毎に分類された商品（タバコ）Ｃを積層した状態で収納されるようになっている。そして、各商品収納部４の下方位置には商品収納部４内に積層して収納された最下位置のタバコＣを、その前面側に払い出す商品払出機構５がそれぞれ組み込まれている。この商品払出機構５は、例えば、ねじ機構式のものや、無端ベルト（チェーン）式のものが採用されている。
【０００４】
このような自動販売機は、例えばドア部２を閉じたとき販売機本体１の内部およびドア部２の裏面に設けられた商品収納部４ａおよび４ｂが平行に対向するように構成されている。そして、この商品収納部４ａおよび４ｂとの間にはタバコＣの最大外形寸法よりも僅かに広い空間部が、自由落下通路（商品シュート）６として形成されるようになっている。この商品シュート６を介して商品収納部４から払い出されたタバコＣが商品受け部７に導かれるようになっている。
【０００５】
尚、このドア部２の前面には、図５に商品取出部の要部断面構造を示すように商品取出口８の上端部の軸支点９ａに軸支されて、その下端側が回動自在なカバー体９が設けられている。このカバー体９は、常時は商品取出口８を閉塞すると共に、商品受け部７に導かれたタバコＣを取り出すときに内側に押圧されて、タバコＣを取り出すことができるようになっている。
【０００６】
このような自動販売機にあっては、販売機本体１およびドア部２にそれぞれ設けられた各商品収納部４に収納されたタバコＣが商品取出口８から手や腕または細長い道具等を使って抜き取られる等の虞がある。このため、従来は商品受け部７とその上方の壁部１０との間隔Ａを短くして手や腕などの侵入を防止することが行われている。
【０００７】
或いは、販売機本体に収納されたタバコが抜き取られないように前扉の前面に設けられたカバー体により常時は上記商品取出口を閉塞すると共に、このカバー体が前扉内側に向けて押圧されて回動するとき、このカバー体によって、押圧されて姿勢変位して商品受け部と商品収納部との連通部を閉塞するシャッタを備えた自動販売機がある（例えば、特許文献１を参照）。
【０００８】
【特許文献１】
特願２００２−１７７３５１号
【０００９】
【発明が解決しようとする課題】
しかしながら、上述したように商品受け部７とその上方の壁部１０との間隔Ａを短くした場合、商品受け部７に払い出された商品を、商品取出口８から取出し難いという問題があった。また、この方法によって販売機本体１の内部に手または腕の侵入を防止できたとしても、細長い道具、例えば定規や鈎状に折り曲げられた針金などが使われた場合、販売機本体１およびドア部２にそれぞれ備え付けられた各商品収納部４の内部の商品が、抜き取られる等の悪戯をされる虞があった。
【００１０】
また、カバー体の回動と連動して商品受け部と商品収納部との連通部を閉塞するシャッタを備えた自動販売機にあっては、部品点数が増えて複雑な構成となり、高価になるという懸念がある。
本発明はこのような事情を考慮してなされたもので、その目的は、販売機本体の内部に収納された商品に対して、商品取出口から挿入される細長い道具等による悪戯等を防止するのに好適な簡易な構成の自動販売機を提供することにある。
【００１１】
【課題を解決するための手段】
前述した目的を達成するべく、本発明に係る自動販売機は、内部に商品収納部を形成した販売機本体と、この販売本体の前面に開閉自在に設けられた前扉と、この前扉の前面側に設けられた商品取出口に連通して該前扉の下部に設けられた商品受け部と、この商品取出口の後方に設けられて前記商品取出口からの前記販売機本体の見通しを阻止する遮蔽板と、この遮蔽板の後方側に位置付けられて前記販売機本体に設けられた前記商品収納部から払い出された商品を前記商品受け部に導くシュートとを具備したものとして構成される。
【００１２】
特に、前記シュートは、前記遮蔽板の後ろ側に設けられて前記商品収納部から払い出された商品を下方に導く第１の傾斜板と、この第１の傾斜板の下端部に対して所定の間隙を有する段差を形成して設けられて上記第１の傾斜板を介して導かれた商品を前記商品受け部に導く第２の傾斜板とから構成される。
即ち、本発明に係る自動販売機によれば、第１の傾斜板と第２の傾斜板との間に所定の間隙を有する段差（間隙部）があるので、前記商品取出口から挿入される細長い道具等を間隙部の内部で受け止めることによって販売機本体内部に収容した商品に対する悪戯を防止することができる。また、商品取出口と商品収納部との間に遮蔽板が設けられて、商品受け部と遮蔽板との間隔が狭くなっているので、商品取出口から挿入された手や腕などが商品収納部に到達できず、商品に対する悪戯を防止することができる。
【００１３】
【発明の実施の形態】
以下、図面を参照して本発明の一実施形態に係る自動販売機についてタバコ用の自動販売機を例に説明する。
この実施形態に係る自動販売機は、概略的には図１に自動販売機の商品取出部の要部拡大図を示すように、ドア部２の前面側の商品取出口８に設けられたカバー体９をドア部２の内側に向けて押し開けることによって商品シュート６を介して商品受け部７に払い出されたタバコＣを取り出すことができるよう構成されている。尚、従来の自動販売機と同じ機能を備えている部位に関しては、同符号を付与してその説明を省略する。
【００１４】
この自動販売機の商品取出口８には、該商品取出口８から販売機本体１の内部の見通しを阻止する遮蔽板１４が設けられている。この遮蔽板１４は、詳細は後述するが、販売機本体１の内部の見通しを阻止すると共に、商品取出口８から挿入される細長い定規Ｔ等により販売機本体１の内部に収納されたタバコＣに対する悪戯を防止する役割を担っている。
【００１５】
また、商品シュート６は、前記遮蔽板１４の後方側に位置付けられて、商品払出機構５の下方に設けられた商品受け部７に、該商品払出機構５が払い出したタバコＣを導く役割を担うものである。詳しくは、この商品シュート６は、商品払出機構５から払い出されたタバコＣを下方に導く第１の傾斜板１１と、この第１の傾斜板１１の下端部に対して、所定の間隙を有する段差を形成し、第１の傾斜板１１により導かれたタバコＣを、引き続き商品受け部７に導く第２の傾斜板１４とから構成されている。つまり、商品収納部４内に積層して収納された最下位のタバコＣは、商品払出機構５によって払い出された後、第１の傾斜板１１および第２の傾斜板によって商品受け部７に導かれるようになっている。
【００１６】
概略的には、上述したように構成された自動販売機において本発明が特徴とするところは、第１の傾斜板１１の下端部に対して所定の間隙部１２を有する段差を形成した第２の傾斜板１３を備えた点、および前記商品受け部７の後方に設けられて前記商品取出口８からの前記段差の部位を含む前記販売機本体１の内部の見通しを阻止する遮蔽板１４を設けた点にある。
【００１７】
ところでこの自動販売機は、購入者が図示しない商品選択釦を押下する等して販売機本体に収納されている商品（タバコ）Ｃを選択すると、この選択された商品を収納している商品収納部４の商品払出機構５が、該商品収納部４に積層した状態で収納された最下位置のタバコＣを、その前面側に払い出すようになっている。この商品払出機構５により払い出されたタバコＣは、第１の傾斜板１１および第２の傾斜板１３の上を滑り落ちて商品受け部７に到達する。そして購入者が、商品受け部７の前面に設けられたカバー体９を販売機内部に押し込むと、商品受け部７のタバコＣを取り出すことができるようになっている。
【００１８】
具体的に、販売機本体１の内部に収納されたタバコＣに対して、商品取出口８から挿入した例えば定規などの細長い道具等を用いてなされる悪戯等を防止する機構について図２を参照しながら説明する。
販売機本体１の内部に収納されたタバコＣに対して悪戯を施そうとする者は、販売機本体の前面のカバー体９を販売機本体１の内部に押し込んで、商品取出口８から例えばプラスチック等の材料により作られた細長い定規Ｔを挿入する。すると定規Ｔの先端部は、商品受け部７と商品収納部４との間の商品シュート６にある第２の傾斜板１３に到達する。次いで商品収納部４に収納されているタバコＣに定規Ｔの先端を到達させるため、悪戯を施そうとする者は、該定規Ｔを更に商品受け部７から販売機本体１の内部に押し込む。このとき押し込まれた定規Ｔの先端部は、第２の傾斜板１３の面上を接しながら商品収納部４の方向へ、すなわち上方向へと移動していく。すると定規Ｔは、商品受け部７の上方向にある遮蔽板１４および商品取出口８により規制されて、販売機本体１の内部への侵入が妨げられる。
【００１９】
ここで、更に定規Ｔが販売機本体１の内部へ押し込まれると該定規Ｔの先端は、第２の傾斜板１３の面上に接しながら上方向に進行すると共に、定規Ｔには遮蔽板１４により定規Ｔの中央部に下向きの力が加わる。この定規Ｔが、例えば可撓性を有するプラスチック等の材料によって作られているとすると、遮蔽板１４によって下向きの凸状に変形する。このようにして、定規Ｔを撓ませながら更に商品取出口８から販売機本体１の内部に該定規Ｔを侵入させると、定規Ｔの先端部が商品シュート６の第２の遮蔽板１４と第１の遮蔽板との間に設けられた所定の間隙を有する段差部１５に到達する。
【００２０】
この時点で、定規Ｔは、段差部１５、遮蔽板１４および商品取出口８との間に橋架されることとなり、下向き凸状に大きく撓んだ状態になる。このため、定規Ｔの材質によっては該定規Ｔが折れるため、定規Ｔの販売機本体１の内部への侵入を防ぐことができる。
一方、定規Ｔが折れることなく、更に図２（ｂ）に示すように該定規Ｔが商品シュート６の内部へ侵入すると、この定規Ｔの先端部が商品シュート６の第２の遮蔽板１４と第１の遮蔽板との間に設けられた所定の間隙部１２へ到達する。そして、定規Ｔが更に販売機内部に押し込まれたとしても、間隙部１２の内部に定規Ｔが侵入するだけであり、商品収納部４に到達することがない。このため、定規Ｔを商品シュート６内に出し入れしたとしても定規Ｔの先端部は商品収納部４へ到達しない。ちなみに、定規Ｔがこの間隙部１２の内部に侵入した状態は、遮蔽板１４があるため商品取出口８から見ることはできない。このようなことから定規Ｔによって商品収納部４に収納されている商品Ｃに対する悪戯を防止することができる。
【００２１】
したがって、本発明に係る自動販売機によれば、第１の傾斜板１１と第２の傾斜板１３との間に所定の間隙を有する段差（間隙部１２）があるので、商品取出口８から挿入される細長い道具等による悪戯等を防止することができる。
特に、商品取出口８の後方に遮蔽板１４を設けているので、商品取出口８からの販売機本体１内部の見通しを阻止することができる。すなわち、遮蔽板１４によって商品取出口８から前述した間隙部１２を視認することができない。このため効果的に販売機本体１の内部に収納されている商品Ｃに対する悪戯を防止することができる。勿論、商品取出口８と商品収納部４との間に遮蔽板１４が設けられて、商品受け部７と遮蔽板１４との間隔が狭くなっているので、商品取出口８から挿入された手や腕などが商品収納部４に到達できず、商品Ｃに対する悪戯を防止することもできる。或いは、特に図示しないが一枚板からなる傾斜板を折り曲げて段差部を形成すると共に、この段差部に孔を開けて間隙部を形成してもかまわない。
【００２２】
尚、本発明は上述した実施形態に限定されるものではない。例えば販売機本体の内部に収納されている商品に対する悪戯をされにくくするため、商品取り出し口を狭くした自動販売機にも適用することが可能である。
この種の自動販売機は具体的には、図１および図３に示すように、自動販売機のドア部（前扉）２の下方の略中央部に設ける商品取出口８の幅を狭くしたものとして構成されている。そして、商品払出機構５によって払い出されたタバコＣは、商品シュート６の左側および右側から、自動販売機の前扉２の下方、略中央部に設けられた商品取り出し口に通ずる商品受け部７にタバコＣを滑り落とす左側傾斜板１６ａおよび右側傾斜板１６ｂとを備えたものとなっている。
【００２３】
そして、この傾斜板（１６ａ，１６ｂ）の下端部に対してそれぞれ所定の間隙部１７を有する段差を形成して、該傾斜板（１６ａ，１６ｂ）を介して導かれる商品を商品受け部７に導く別の傾斜板（１８ａ，１８ｂ）を設ければよい。
このようにして商品シュート６の左側および右側に設けた傾斜板間に間隙部１７を設けることで、商品取出口８から前後方向および左右方向に挿入された細長い道具等を該間隙部１７に確実に収納することができる。このため、商品収納部４に収納された商品Ｃに対する悪戯等を効果的に防止することが可能となる。
【００２４】
【発明の効果】
以上説明したように本発明によれば、販売機本体に設けられた商品受け部と商品シュートとの連通部に設けた傾斜板に所定の間隙を有する段差を設けているので、簡易な構成でありながら商品取出口から販売機内部に収納された商品の抜取り等の悪戯を確実に阻止することができる等の実用上多大なる効果が奏せられる。
【図面の簡単な説明】
【図１】本発明の一実施形態に係る自動販売機の内部概略構成を示す図。
【図２】図１に示す自動販売機の商品取出部の要部断面構成を示す図。
【図３】本発明の別の実施形態に係る自動販売機の商品払出部の要部構成を示す斜視図。
【図４】一般的な自動販売機の内部概略構成を示す図。
【図５】従来の自動販売機の商品取出口の要部断面構造を示す図。
【符号の説明】
１                販売機本体
２                ドア部
４                商品収納部
５                商品払出機構
６                商品シュート
７                商品受け部
８                商品取出口
９                カバー体
１０                壁部
１１、１３、１６    傾斜板
１２                間隙部
１４                遮蔽板
１５                段差部
Ｃ                タバコ
【図１】
2004295800.tif 000003
【図２】
2004295800.tif 000004
【図３】
2004295800.tif 000005
【図４】
2004295800.tif 000006
【図５】
2004295800.tif 000007